(57)【要約】      （修正有）【課題】使用時にはワンタッチでゴミ袋が容易に着脱でき、ゴミの投入がしやすく、未使用時には折り畳める容器の要らない折り畳みゴミ袋の口保持傾斜スタンドを提供する。【解決手段】素材に四角形の木材を用いて、上外横枠１と左右外縦枠２，３を皿木ねじ又は木ダボで結合してなる上部より下部を任意の寸法広げた梯形コの字形の外枠に、Ｘ字形立設状態で外枠上面より任意の寸法上面を低く設定した上内横枠４と左右内縦枠５，６を同じく皿木ねじ又は木ダボで結合した梯形コの字形の内枠を内設し、中間部分を回動可能に皿小ねじ７と爪付ナット８で座金を介して軸着し、外枠、内枠の左右縦枠２，３，５，６の上部両側に上外、内横枠１，４の下面延長線上の下部に切欠を設ける。【選択図】図１
0003166211.tif 000002
【実用新案登録請求の範囲】
【請求項１】
素材に四角形の木材を用いて、上外横枠と左右外縦枠を結合部品で結合してなる上部より下部を任意の寸法広げた梯形コの字形の外枠に、Ｘ字形立設状態で外枠上面より任意の寸法上面を低く設定した上内横枠と左右内縦枠を同じく結合した梯形コの字形の内枠を内設し、中間部分を回動可能に皿小ねじと爪付ナットで座金を介して軸着し、外枠、内枠の左右縦枠の上部両側に上外、内横枠の下面延長線上の下部に切欠を設けたことを特徴とする折り畳みゴミ袋の口保持傾斜スタンド。
【請求項２】
素材に丸形の棒鋼又は鋼管又はアルミ管を用いて、上部より下部を任意の寸法広げた梯形コの字形の外枠に、Ｘ字形立設状態で外枠上面より任意の寸法上面を低く設定した内枠をそれぞれ一体で製作して内設し、中間部分を回動可能に丸小ねじとナットで座金を介して軸着し、外枠、内枠の上部下面延長線上の下部両側に切欠を設けたことを特徴とする折り畳みゴミ袋の口保持傾斜スタンド。
【請求項３】
素材に合成樹脂を用いて、上部より下部を任意の寸法広げた梯形コの字形の外枠に、Ｘ字形立設状態で外枠上面より任意の寸法上面を低く設定した内枠をそれぞれ一体で製作して内設し、中間部分を回動可能に丸小ねじとナットで座金を介して軸着し、外枠、内枠の上部下面延長線上の下部両側に切欠を設けたことを特徴とする折り畳みゴミ袋の口保持傾斜スタンド。
【請求項４】
内枠の左右縦枠下部にキャスターを設けたことを特徴とする請求項１乃至２乃至３に記載の折り畳みゴミ袋の口保持傾斜スタンド。
【考案の詳細な説明】
【技術分野】
【０００１】
本考案は、梯形コの字形の外枠と内枠を内設して回動可能に軸着し、Ｘ字形立設状態において外枠の上面より内枠上面を任意の寸法低くすることによりゴミ袋の着脱とゴミの投入が容易な容器の要らない折り畳みゴミ袋の口保持傾斜スタンドに関するものである。
【背景技術】
【０００２】
本考案者は、先に容器の要らない折り畳みゴミ袋の保持スタンドとして、四角形の木材で、上部に切欠を設けた左右外、内縦枠と上面が袋装着時のＸ字形立設状態で平行となり、折り畳み時には干渉する角度付の上外、内横枠で構成する梯形コの字形の外枠と内枠を内設し、左右外、内縦枠の中間部分を回動可能に軸と軸受で軸着し、外枠と内枠の軸着下部の両側面をチェーンで連結する形態を提案している（特許文献１）。
【０００３】
折り畳みゴミ袋の保持スタンドに装着するゴミ袋は口の部分には腰がないので上述のスタンドに装着しても途中で外れた場合には再装着が容易でないことが判明した。対策として、ゴミ袋の口を容易に開閉させ装着にも便利なゴミ袋の口の補完材として紙製のライナーと中芯で構成する片面段ボールシートを、袋の口の半分の寸法に中芯を垂直にして帯状に成形し、ライナー面に粘着剤を両端に任意の寸法を残して中間部分に塗布した後、保護シートを粘着剤の上に展着するゴミ袋の口保持帯も提案している（特許文献２）。この保持帯２枚をゴミ袋口に貼着すれば口の部分に腰ができるので折り畳みスタンドの切欠に入りこみ装着性が高まる。
【先行技術文献】
【特許文献】
【０００４】
【特許文献１】特願２００９−２６８８２８
【特許文献２】特願２０１０−２２３６３１
【考案の概要】
【考案が解決しようとする課題】
【０００５】
先の提案では、折り畳みスタンドにゴミ袋をワンタッチで装着する為に上面が水平な外枠と内枠の左右縦枠上部に切欠を設けており通常のゴミ袋の装着に関しては問題のない形態であるがゴミ袋の投入口が地面と平行なのでゴミを入れにくいのとゴミが入った状態で途中移動させる場合にゴミ袋が切欠から外れると元に戻しにくい点が出てきた。解決策としてゴミ袋の口に片面段ボールシートを使用した保護シート付ゴミ袋を検討したが使いい易さはあってもコスト面と取り扱いに問題が浮上した。従って、考案が解決しようとする課題は、通常のゴミ袋を使用しても確実に装着でき、ゴミの投入も従来品よりもやりやすく、途中の移動でも外れにくく取り出しも容易に行える折り畳みゴミ袋スタンドを提供することである。
【課題を解決するための手段】
【０００６】
上記の課題を解決するための手段は、素材に四角形の木材を用いて、上外横枠と左右外縦枠を皿木ねじ又は木ダボで結合してなる上部より下部を任意の寸法広げた梯形コの字形の外枠に、Ｘ字形立設状態で外枠上面より任意の寸法上面を低く設定した上内横枠と左右内縦枠５を同じく皿木ねじ又は木ダボで結合した梯形コの字形の内枠を内設し、中間部分を回動可能に皿小ねじと爪付ナットで座金を介して軸着し、外枠、内枠の左右縦枠の上部両側に上外、内横枠の下面延長線上の下部に切欠を設ける。
【０００７】
素材に棒鋼、鋼管、アルミ管、合成樹脂等を用いて、上部より下部を任意の寸法広げた梯形コの字形の外枠に、Ｘ字形立設状態で外枠上面より任意の寸法上面を低く設定した内枠をそれぞれ一体で製作して内設し、中間部分を回動可能に丸小ねじとナットで座金を介し外枠、内枠の上部下面延長線上の下部両側に切欠を設ける。
【０００８】
それぞれの内枠の下部にキャスターを設けて移動が容易にできるようにする。
【考案の効果】
【０００９】
本考案の折り畳みゴミ袋の口保持傾斜スタンドは、投入口が傾斜しているので袋の口を装着する切欠が外枠、内枠共に鋭角となるのでゴミ袋が確実に装着できゴミも入れやすい。更に、作業途中でスタンドを移動させる場合においてもゴミ袋の口が切欠でしっかりと張設されているので外れにくくなり取り外しも両枠を少し狭めて袋の口を枠から外してスタンドを上に持ち上げるだけで完了する。未使用時には外枠と内枠が回動して一体となるので保管と持ち運びが容易であり、使用時はワンタッチで設置とゴミ袋の装着が行えるので屋内、屋外を問わずあらゆる場所で使用でき撤去も簡単に行える。又、袋が容器を兼用するので投入物が多く入り透明か半透明の袋を使用すれば内容物が外から確認できるので安全性が高く管理もしやすい。尚、袋の口受け部の切欠は外枠、内枠共両側に設けているのでＸ字状に開く場合に左右どちらに開いても使用できる。更に、外枠と内枠は角度付で内設しているので力を加えない限りＸ字形立設状態から自然に全開することはない。
【００１０】
木材は加工が容易で軽量であり使用部材の寸法も小さいので従来は廃棄されていた間伐材、端材等の使用が可能な為に資源の有効利用ができ安価にて提供することができる。又、表面に人と環境に優しく作業性に優れた天然木材保護塗料プラネットカラー(ドイツ・クライデツァイト社製)を使用すれば品質向上効果がでてくる。
【００１１】
建設、土木、道路工事等の屋外での作業及び土嚢つくり用には強度面で木材では対応できない場合が多い。これらには、棒鋼、鋼管、アルミ管、合成樹脂等を使用すれば外枠と内枠は一体加工で製作でき強度も増すのであらゆる場所での使用が可能となる。
【００１２】
内枠下部にキャスターを設けておけば外枠上部を持ち上げることによりゴミの入った状態で容易に移動することができる。
【００１３】
スタンドの大きさは袋の寸法により決まので通常市販されている家庭及び事業所用の容量４５Ｌ，７０Ｌ、９０Ｌのポリ袋及び主に事業所及び産業用のＰＥ製土嚢袋、ＰＰ製ガラ袋等それぞれの袋に合わせて設計、製作すればこれらの袋に容易に対応することができる。
【図面の簡単な説明】
【００１４】
【図１】折り畳みゴミ袋の口保持傾斜スタンドの斜視図である。
【図２】折り畳みゴミ袋の口保持傾斜スタンドの折り畳んだ平面図である。
【図３】折り畳みゴミ袋の口保持傾斜スタンド図２のＢ部断面図である。
【図４】折り畳みゴミ袋の口保持傾斜スタンドにゴミ袋を装着した正面図である。
【図５】折り畳みゴミ袋の口保持傾斜スタンドを丸形材で一体製作した斜視図である。
【図６】折り畳みゴミ袋の口保持傾斜スタンドを丸形材で一体製作した正面図である。
【図７】折り畳みゴミ袋の口保持傾斜スタンドにキャスターを設けた正面図である。
【考案を実施するための形態】
【００１５】
四角形の木材を用い、上横枠と左右縦枠とで構成する梯形コの字形外枠と内枠を内設し、Ｘ字形立設状態で外枠上面より内枠上面を任意の寸法低く設定して中間部分を回動可能に軸着する。外枠、内枠の左右外側上部にはそれぞれどちらに開いても使用できる切欠を設ける。尚、用途に応じて外枠と内枠に木材以外の棒鋼、鋼管、アルミ管、合成樹脂等の素材を用いて一体製作する。又、内枠の下部にキャスターを設ければゴミ袋にゴミが入った状態での移動が容易に行える。
【実施例１】
【００１６】
図１は、木製の折り畳みゴミ袋の口保持傾斜スタンドの斜視図である。四角形の木材を用いＸ字形に立設した状態で上外横枠１と下部を上外横枠１の横寸法より任意の寸法広くした左右外縦枠２，３で構成する梯形コの字形の外枠と、同形で上面を上外横枠１より任意の寸法低くした上内横枠４と左右外縦枠５，６で構成する内枠を回動可能に皿小ねじ７と爪付ナット８で座金を介して軸着する。左右外、内縦枠２，３，５，６の上部両側にはゴミ袋の口が係止する切欠を設け、下面は半円形にすることにより線接地となり設置面に対しての順応性が高くなる。外枠と内枠は梯形コの字形の角度付で軸着されているので開き止めが無くても全開しない。又、切欠を両側に設けることにより外枠と内枠をどちらに開いても使用できる。
【実施例２】
【００１７】
図２は、木製の折り畳みゴミ袋の口保持傾斜スタンドを折り畳んだ状態の平面図である。外枠と内枠共に同一寸法の材料を使用することにより折り畳んだ時に一体化できる。Ａ−Ａ断面は外枠と内枠の軸着実施例であり、皿小ねじ７とに爪付ナット８を用い外枠と内枠の直接触を避ける為に座金９を間に入れることにより円滑な枠開閉が行われるようになる。
【実施例３】
【００１８】
図３は木製の折り畳みゴミ袋の口保持傾斜スタンド図２のＢ部断面図である。外、内枠の横枠と縦枠の結合には皿木ねじ１０又は木ダボ１１を使用する。皿木ねじ使用例では、上外横枠１と左外縦枠３の結合部に2本の皿木ねじ１０を平行に使用して螺着することにより強固に結合できるが作業工程が多く組み立てにねじ回しと技術を要する（皿木ねじ１０を合計８本使用）。但し、組み立てて大量出荷する場合に作業効率は高くなる。木ダボ使用例では上外横枠１と左外縦枠３それぞれに接着剤を使用して木ダボ１１が埋め込んだ状態で外からは見えないが強固に結合が行える（木ダボ１１を合計４本使用）。尚、木製スタンドは組み立てた状態では体積が大きくなり発送する場合には大きい箱が必要で数量が少ない場合には輸送コストが高くなる。従って、右左外、内縦枠２，３と５，６はそれぞれ軸着しておき上外、内横枠１，４は使用前に組み立てることにすればコンパクトな状態で箱詰めすることができる。この場合には、誰でも簡単に組み立てが行えるのが条件となり方法としてはあらかじめ右左外、内縦枠２，３、５，６に木ダボ１１を嵌入しておけば上外、内横枠１，４をそれぞれの木ダボ１１に接着剤を用いて嵌入するだけで簡単に組み立てが行える。
【実施例４】
【００１９】
図４は、木製の折り畳みゴミ袋の口保持傾斜スタンドにゴミ袋を装着した正面図である。外枠と内枠の上面が傾斜しているので切欠が鋭角となりゴミ袋の口が入り込んだ状態で係止する。従って、ゴミ袋の口は外枠と内枠で確実に張設されるので袋にゴミを入れた状態で持ち上げても外れにくくなり投入口が傾斜しているのでゴミを入れやすい。尚、実施例５で説明の一体で製作した折り畳みゴミ袋の口保持傾斜スタンドも同様の形となり切欠には袋の口紐が係止する。
【実施例５】
【００２０】
図５は、折り畳みゴミ袋の口保持傾斜スタンドを丸形の素材で一体製作した斜視図、図６は正面図である。使用に適した丸形の素材には棒鋼、鋼管、アルミ管等があり丸形材外枠２１、丸形材内枠２２共曲げ加工のみで製作でき強度もあるが断面が円で切欠も滑らかな形態となる。Ｃ−Ｃ断面は外枠と内枠の軸着実施例であり、丸小ねじ２３とナット２４を用い丸形材外枠２１と丸形材内枠２２の直接触を避ける為に座金２５を間に入れることにより円滑な枠開閉が行われる。但し、通常のゴミ袋は装着しても全体に円が主体なのでゴミが投入されると袋の口が滑って切欠から外れるので使用することはできない。使用できるのは袋の口に紐付のＰＥ製土嚢袋とＰＰ製ガラ袋等か袋の口補完袋に限定されるが産業用での屋内、屋外各種作業で特に重量物に対しての使用には適している。これらの口紐付袋及び袋の口補完袋は木製スタンドにも条件が合えば問題無く使用することが出来る。又、丸形材外枠２１、丸形材内枠２２共一体製作なので当初から組み立てた状態の製品となる。尚、素材に合成樹脂を用いれば外枠、内枠共に一体成型が可能なので用途に応じて多様な形状の製品を製作することができる。
【実施例６】
【００２１】
図７は木製の折り畳みゴミ袋の口保持傾斜スタンドの内枠下部にキャスター設けた正面図である。設置したゴミ袋スタンドは場合によっては移動が必要である。この場合において内枠の下部にキャスター３０を設けることによりゴミの入ったスタンドの外枠上面を持ち上げれば容易に移動させることができる。尚、キャスター３０が内枠のみで外枠が接地しているので力が作用しても移動することはない。キャスター３０は棒鋼、鋼管、アルミ管合成樹脂製等他の素材製にも必要に応じて同様に設ける。
【産業上の利用可能性】
【００２２】
ゴミは家庭内外、道路沿い、公園、河川敷、事務所、工場、公共施設、各種イベント等あらゆる場所で発生する。これらのゴミはほとんどゴミ袋に入れられるがゴミ袋には一般に使用されているポリ袋と産業用として現場で多く使用されている口紐付のＰＥ製土嚢袋とＰＰ製のガラ袋がある。本提案の折り畳みゴミ袋の口保持傾斜スタンドは従来の各種スタンドと比較すると構造が簡単で素材が木材の場合にはほとんどの袋が装着できる。又、素材が棒鋼、鋼管、アルミ管、合成樹脂等の場合には口紐付の袋が適しており主に重量物を入れるのに使用する。従って、ゴミの収集現場において、スタンドの開閉とゴミ袋の着脱が容易に行えると共に袋内のゴミも外から確認できるので安全性が高く作業も効率的に行うことができるのであらゆる場所で発生するゴミに対しての利用の可能性は高く更に構造が簡単なので安価にて提供することが出来る。尚、現在多く使用されている４５Ｌポリ袋用の木製のスタンドが各家庭にあれば部屋、庭、畑、ドライブ、キャンプ等必要に応じて使用できる必需品となる利用の可能性が大である。
【符号の説明】
【００２３】
１    上外横枠
２    右外縦枠
３    左外縦枠
４    上内横枠
５    右内縦枠
６    左内縦枠
７    皿小ねじ
８    爪付ナット
９    座金
１０  皿木ねじ
１１  木ダボ
２１  丸形材外枠
２２  丸形材内枠
２３  丸小ねじ
２４  ナット
２５  座金
３０  キャスター
【図１】
0003166211.tif 000003
【図２】
0003166211.tif 000004
【図３】
0003166211.tif 000005
【図４】
0003166211.tif 000006
【図５】
0003166211.tif 000007
【図６】
0003166211.tif 000008
【図７】
0003166211.tif 000009